(57)【要約】【課題】本発明は、小型化および低抵抗化が図られたインダクタおよびその製造方法を提供すること。【解決手段】インダクタ１は、幅Ｗを有する配線９と、配線９の両端のそれぞれに連続する第１電極１１および第２電極１２とを備える。配線９、第１電極１１および第２電極１２は、同一平面上にある。第１電極１１の平面積Ｓ１および第２電極１２の平面積Ｓ２のそれぞれは、幅Ｗの２乗値（Ｗ２）以上である。配線９が配置されている配線エリア１５は、第１電極１１および第２電極１２間に位置する。配線エリア１５は、第１電極１１および第２電極１２の対向方向に沿った第１電極１１および第２電極１２間の長さＬに等しい長手方向長さＸと、前後方向長さＹとを有する。長手方向長さＸは、前後方向長さＹの１．５倍値以上である。【選択図】図１
2019062002.tif 000002
【特許請求の範囲】
【請求項１】
幅Ｗを有する配線と、
前記配線の両端のそれぞれに連続する第１電極および第２電極とを備え、
前記配線、前記第１電極および前記第２電極は、同一平面上にあり、
前記第１電極の平面積Ｓ１および前記第２電極の平面積Ｓ２のそれぞれは、前記幅Ｗの２乗値（Ｗ２）以上であり、
前記配線が配置されているエリアは、前記第１電極および前記第２電極間に位置し、
前記エリアは、前記第１電極および前記第２電極の対向方向に沿った前記第１電極および前記第２電極間の長さＬに等しい長手方向長さＸと、前記長手方向に対して直交する方向における短手方向長さＹとを有し、
前記長手方向長さＸは、前記短手方向長さＹの１．５倍値以上であることを特徴とする、インダクタ。
【請求項２】
前記配線の厚み方向一方面を被覆する磁性層をさらに備えることを特徴とする、請求項１に記載のインダクタ。
【請求項３】
前記磁性層の厚みが、５００μｍ以下であることを特徴とする、請求項２に記載のインダクタ。
【請求項４】
前記第１電極の厚み方向一方面に配置される第１バンプと、
前記第２電極の厚み方向一方面に配置される第２バンプとをさらに備えることを特徴とする、請求項２または３に記載のインダクタ。
【請求項５】
前記第１バンプの平面積ＢＳ１の、前記第１電極の平面積Ｓ１に対する割合が、７０％以上であり、
前記第２バンプの平面積ＢＳ２の、前記第２電極の平面積Ｓ２に対する割合が、７０％以上であることを特徴とする、請求項４に記載のインダクタ。
【請求項６】
前記第１バンプおよび前記第２バンプの厚み方向長さが、前記磁性層の厚みに対して、長いことを特徴とする、請求項４または５に記載のインダクタ。
【請求項７】
前記第１バンプおよび前記第２バンプは、前記磁性層と面方向に０．１μｍ以上の間隔を隔てて配置されていることを特徴とする、請求項４〜６のいずれか一項に記載のインダクタ。
【請求項８】
前記第１バンプおよび前記第２バンプの周囲を被覆し、前記配線、前記第１電極および前記第２電極の前記厚み方向一方側に配置されるカバー絶縁層をさらに備えることを特徴とする、請求項４〜７のいずれか一項に記載のインダクタ。
【請求項９】
前記配線の前記厚み方向他方面に配置されるベース絶縁層と、
前記ベース絶縁層の前記厚み方向他方面に配置される第２磁性層とをさらに備えることを特徴とする、請求項１〜８のいずれか一項に記載のインダクタ。
【請求項１０】
請求項２〜９のいずれか一項に記載のインダクタを製造するための製造方法であり、
１つの前記配線、１つの前記第１電極および１つの前記第２電極を含むユニットを、前記面方向における一方向に沿って複数作製する工程、
前記複数のユニットにおける前記複数の配線の前記厚み方向一方面をまとめて被覆するように、前記一方向に長い長尺の磁性シートを前記複数のユニットに対して配置して、前記磁性シートから前記磁性層を形成する工程、および、
前記磁性層を前記一方向に交差する方向に沿って切断して、前記複数のユニットを個片化する工程
を備えることを特徴とする、インダクタの製造方法。
【発明の詳細な説明】
【技術分野】
【０００１】
本発明は、インダクタおよびその製造方法に関する。
【背景技術】
【０００２】
インダクタは、電子機器などに搭載されて、電圧変換部材などの受動素子として用いられることが知られている。
【０００３】
例えば、厚み方向に重ね合わせた多層基板のそれぞれにミアンダ形状に形成した内部電極を設け、複数の内部電極をビアホールで互いに電気的に接続した上で、最上部の内部電極の一端部に上側外部電極を形成し、最下部の内部電極の他端部に下側外部電極を形成した積層チップインダクタが提案されている（例えば、特許文献１参照。）。
【先行技術文献】
【特許文献】
【０００４】
【特許文献１】特開平７−８６０３９号公報
【発明の概要】
【発明が解決しようとする課題】
【０００５】
近年、電子機器の小型化が進んでおり、そのため、搭載されるインダクタにも小型化が要求される。しかし、特許文献１に記載の積層チップインダクタは、多層基板を備えるので、上記した要求を満足することができないという不具合がある。
【０００６】
一方で、インダクタの低抵抗化も要求されているが、特許文献１に記載の積層チップインダクタは、上記した要求を満足することができないという不具合がある。
【０００７】
本発明は、小型化および低抵抗化が図られたインダクタおよびその製造方法を提供する。
【課題を解決するための手段】
【０００８】
本発明（１）は、幅Ｗを有する配線と、前記配線の両端のそれぞれに連続する第１電極および第２電極とを備え、前記配線、前記第１電極および前記第２電極は、同一平面上にあり、前記第１電極の平面積Ｓ１および前記第２電極の平面積Ｓ２のそれぞれは、前記幅Ｗの２乗値（Ｗ２）以上であり、前記配線が配置されているエリアは、前記第１電極および前記第２電極間に位置し、前記エリアは、前記第１電極および前記第２電極の対向方向に沿った前記第１電極および前記第２電極間の長さＬに等しい長手方向長さＸと、前記長手方向に対して直交する方向における短手方向長さＹとを有し、前記長手方向長さＸは、前記短手方向長さＹの１．５倍値以上である、インダクタを含む。
【０００９】
このインダクタでは、配線、第１電極および第２電極が、同一平面上にあるので、厚み方向の小型化を図ることができる。また、エリアの長手方向長さＸは、短手方向長さＹの１．５倍値以上であるので、エリアの短手方向のより一層の小型化を図ることができる。結果として、インダクタの小型化を図ることができる。
【００１０】
また、このインダクタでは、第１電極の平面積Ｓ１および第２電極の平面積Ｓ２のそれぞれは、配線の幅Ｗの２乗値（Ｗ２）以上であるので、インダクタの低抵抗化を図ることができる。
【００１１】
その結果、このインダクタでは、小型化および低抵抗化の両方が図られている。
【００１２】
本発明（２）は、前記配線の厚み方向一方面を被覆する磁性層をさらに備える、請求項１に記載のインダクタを含む。
【００１３】
このインダクタは、配線の厚み方向一方面を被覆する磁性層をさらに備えるので、高インダクタンスを確保することができる。
【００１４】
本発明（３）は、前記磁性層の厚みが、５００μｍ以下である、（２）に記載のインダクタを含む。
【００１５】
このインダクタでは、磁性層の厚みが、５００μｍ以下である。そのため、インダクタの高インダクタンスを確保しながら、インダクタの小型化を図ることができる。
【００１６】
本発明（４）は、前記第１電極の厚み方向一方面に配置される第１バンプと、前記第２電極の厚み方向一方面に配置される第２バンプとをさらに備える、（２）または（３）に記載のインダクタを含む。
【００１７】
このインダクタは、第１バンプと第２バンプとを備えるので、インダクタが搭載される電子機器と、第１電極および第２電極との電気的な接続を容易に図ることができる。
【００１８】
本発明（５）は、前記第１バンプの平面積ＢＳ１の、前記第１電極の平面積Ｓ１に対する割合が、７０％以上であり、前記第２バンプの平面積ＢＳ２の、前記第２電極の平面積Ｓ２に対する割合が、７０％以上である、（４）に記載のインダクタを含む。
【００１９】
このインダクタでは、第１バンプの平面積の、第１電極の平面積に対する割合が、７０％以上であり、第２バンプの平面積の、第２電極の平面積に対する割合が、７０％以上であるので、インダクタの低抵抗化を図って、電子機器と第１電極との電気的な接続信頼性の低下、および、電子機器と第２電極との電気的な接続信頼性の低下を抑制することができる。
【００２０】
本発明（６）は、前記第１バンプおよび前記第２バンプの厚み方向長さが、前記磁性層の厚みに対して、長い、（４）または（５）に記載のインダクタを含む。
【００２１】
このインダクタでは、第１バンプおよび第２バンプの厚み方向長さが、磁性層の厚みに対して、長いので、電子機器と、第１電極および第２電極との電気的な接続信頼性を向上させることができる。
【００２２】
本発明（７）は、前記第１バンプおよび前記第２バンプは、前記磁性層と面方向に０．１μｍ以上の間隔を隔てて配置されている、（４）〜（６）のいずれか一項に記載のインダクタを含む。
【００２３】
このインダクタでは、第１バンプおよび第２バンプは、磁性層と面方向に０．１μｍ以上の間隔を隔てて配置されているので、第１バンプおよび第２バンプと、磁性層との短絡を有効に防止することができる。そのため、電子機器と、第１電極および第２電極との電気的な接続信頼性を向上させることができる。
【００２４】
本発明（８）は、前記第１バンプおよび前記第２バンプの周囲を被覆し、前記配線、前記第１電極および前記第２電極の前記厚み方向一方側に配置されるカバー絶縁層をさらに備える、（４）〜（７）のいずれか一項に記載のインダクタを含む。
【００２５】
このインダクタは、カバー絶縁層を備えるので、カバー絶縁層により、第１電極、第２電極および配線を被覆（保護）することができ、そのため、電気的な接続信頼性を向上させることができる。
【００２６】
本発明（９）は、前記配線の前記厚み方向他方面に配置されるベース絶縁層と、前記ベース絶縁層の前記厚み方向他方面に配置される第２磁性層とをさらに備える、（１）〜（８）のいずれか一項に記載のインダクタを含む。
【００２７】
このインダクタは、第２磁性層をさらに備えるので、高インダクタンスを確保することができる。
【００２８】
本発明（１０）は、（２）〜９のいずれか一項に記載のインダクタを製造するための製造方法であり、１つの前記配線、１つの前記第１電極および１つの前記第２電極を含むユニットを、前記面方向における一方向に沿って複数作製する工程、前記複数のユニットにおける前記複数の配線の前記厚み方向一方面をまとめて被覆するように、前記一方向に長い長尺の磁性シートを前記複数のユニットに対して配置して、前記磁性シートから前記磁性層を形成する工程、および、前記磁性層を前記一方向に交差する方向に沿って切断して、前記複数のユニットを個片化する工程を備える、インダクタの製造方法を含む。
【００２９】
この製造方法は、複数のユニットにおける複数の配線の厚み方向一方面をまとめて被覆するように、一方向に長い長尺の磁性シートを複数のユニットに対して配置して、ユニットを個片化して、磁性シートから磁性層を形成するので、複数のインダクタを効率よく製造することができる。
【発明の効果】
【００３０】
本発明のインダクタでは、小型化および低抵抗化の両方が図られている。
【００３１】
本発明のインダクタの製造方法は、複数のインダクタを効率よく製造することができる。
【図面の簡単な説明】
【００３２】
【図１】図１Ａおよび図１Ｂは、本発明のインダクタの一実施形態を示し、図１Ａが、カバー絶縁層を省略した平面図、図１Ｂが、第１バンプ、第２バンプおよびカバー絶縁層を省略した平面図である。
【図２】図２は、図１Ａおよび図１ＢのＣ−Ｃ線に沿う断面図を示す。
【図３】図３Ａ〜図３Ｅは、図２に示すインダクタの製造工程の断面図であり、図３Ａが、ベース絶縁層および導体層を準備する工程、図３Ｂが、配線、第１電極および第２電極を設ける工程、図３Ｃが、磁性層および第２磁性層を設ける工程、図３Ｄが、第１バンプおよび第２バンプを設ける工程、図３Ｅが、カバー絶縁層を設ける工程を示す。
【図４】図４Ａ〜図４Ｄは、図２に示すインダクタの製造工程の斜視図であり、図４Ａが、ベース絶縁層および導体層を準備する工程、図４Ｂが、配線、第１電極および第２電極を設ける工程、図４Ｃが、磁性層および第２磁性層を設ける工程、図４Ｄが、第１バンプおよび第２バンプを設ける工程、カバー絶縁層を設ける工程、および、インダクタ集合体を個片化する工程を示す。
【図５】図５は、図１Ｂに示すインダクタの第１変形例の平面図を示す。
【図６】図６および図７は、図１Ｂに示すインダクタの第３変形例の平面図を示す。
【図７】図７は、図１Ｂに示すインダクタの第３変形例の平面図を示す。
【図８】図８は、図１Ｂに示すインダクタの第４変形例の平面図を示す。
【図９】図９は、図２に示すインダクタの第５変形例の断面図を示す。
【図１０】図１０は、図２に示すインダクタの第６変形例の断面図を示す。
【図１１】図１１は、図２に示すインダクタの第７変形例の断面図を示す。
【図１２】図１２は、図２に示すインダクタの第８変形例の断面図を示す。
【図１３】図１３は、図２に示すインダクタの第９変形例の断面図を示す。
【図１４】図１４は、図２に示すインダクタの第１０変形例の断面図を示す。
【図１５】図１５は、比較例１のインダクタの平面図であって、第１バンプ、第２バンプおよびカバー絶縁層を省略した平面図を示す。
【図１６】図１６は、図８に示すインダクタの第４変形例のさらなる変形例の平面図を示す。
【発明を実施するための形態】
【００３３】
＜一実施形態＞
本発明のインダクタの一実施形態を、図１Ａ〜図２を参照して、説明する。
【００３４】
図１Ａおよび図１Ｂにおいて、紙面左右方向は、インダクタの長手方向を示す。図１Ａおよび図１Ｂの左側は、長手方向一方側であり、図１Ａおよび図１Ｂの右側は、長手方向他方側である。
【００３５】
図１Ａおよび図１Ｂにおいて、上下方向は、前後方向（インダクタの短手方向）を示す。図１Ａおよび図１Ｂの下側は、前側（短手方向一方側）であり、図１Ａおよび図１Ｂの上側は、後側（短手方向他方側）である。
【００３６】
図１Ａおよび図１Ｂにおいて、紙面紙厚方向は、インダクタの厚み方向を示す。図１Ａおよび図１Ｂの紙面手前側は、上側（厚み方向一方側）であり、図１Ａおよび図１Ｂの紙面奥側は、下側（厚み方向他方側）である。
【００３７】
図１Ａの平面図では、第１電極１１、第２電極１２および配線９（配線エリア１５）（後述）の平面視（厚み方向に投影したときと同義）における相対配置を明確に示すために、カバー絶縁層６（後述）を省略している。
【００３８】
図１Ｂの平面図では、第１電極１１、第２電極１２および配線９（配線エリア１５）（後述）の平面視（厚み方向に投影したときと同義）における相対配置を明確に示すために、第１バンプ４、第２バンプ５およびカバー絶縁層６（後述）を省略し、磁性層１０（後述）を破線で示している。
【００３９】
インダクタ１は、長手方向に延びる略矩形シート形状を有する。インダクタ１は、ベース層２と、導体パターン３と、第１バンプ４および第２バンプ５と、磁性層１０と、カバー絶縁層６とを備える。
【００４０】
ベース層２は、インダクタ１と同一の外形形状のシート形状を有する。ベース層２は、第２磁性層７と、ベース絶縁層８とを厚み方向上側に向かって順に備える。
【００４１】
第２磁性層７は、インダクタ１に高いインダクタンスを付与する層である。第２磁性層７は、長手方向および前後方向に沿う平坦な上面および下面を有するシート形状を有する。第２磁性層７は、インダクタ１における最下層である。また、第２磁性層７は、ベース層２の下層でもある。第２磁性層７の材料は、例えば、特開２０１４−１８９０１５号公報などに開示される磁性組成物（具体的には、硬化磁性組成物）などが挙げられる。第２磁性層７の厚みは、例えば、１０μｍ以上、好ましくは、５０μｍ以上であり、また、例えば、５００μｍ以下、好ましくは、３００μｍ以下である。
【００４２】
ベース絶縁層８は、第２磁性層７の上面全面に配置されている。ベース絶縁層８は、ベース層２の上層である。ベース絶縁層８は、長手方向および前後方向に沿う平坦な上面および下面を有する。ベース絶縁層８の上面は、ベース層２の上面を形成する。また、ベース絶縁層８の上面は、次に説明する導体パターン３を同一平面上に配置するための平面でもある。ベース絶縁層８の材料は、例えば、ガラス、セラミックスなどの無機材料、例えば、ポリイミド、フッ素樹脂などの有機材料、例えば、それらの複合材料（ガラスエポキシ）などの絶縁材料が挙げられる。ベース絶縁層８の厚みは、例えば、０．１μｍ以上、好ましくは、０．５μｍ以上であり、また、例えば、１５μｍ以下、好ましくは、１０μｍ以下である。
【００４３】
ベース層２の厚みは、第２磁性層７の厚みおよびベース絶縁層８の厚みの総和であり、例えば、１０．１μｍ以上、好ましくは、５０．５μｍ以上であり、また、例えば、５１５μｍ以下、好ましくは、３１０μｍ以下である。
【００４４】
導体パターン３は、ベース層２の上面に配置されている。導体パターン３は、第１電極１１と、第２電極１２と、配線９とを連続して備える電極パターンである。
【００４５】
第１電極１１は、ベース絶縁層８の上面に配置されている。具体的には、第１電極１１は、ベース絶縁層８の上面における長手方向一端部（図１Ａおよび図１Ｂにおける左端部）に位置する。また、第１電極１１は、導体パターン３における長手方向一端部である。第１電極１１は、短手方向（前後方向）に延びる平面視略矩形状を有する。
【００４６】
第２電極１２は、ベース絶縁層８の上面に配置されている。具体的には、第２電極１２は、ベース絶縁層８の上面において、第１電極１１に対して長手方向他方側（図１Ａおよび図１Ｂにおける右側）に、間隔を隔てて対向配置されている。詳しくは、第２電極１２は、ベース絶縁層８の上面における長手方向他端部（図１Ａおよび図１Ｂにおける右端部）に位置する。また、第２電極１２は、導体パターン３における長手方向他端部である。第２電極１２は、第１電極１１と同一形状を有する。つまり、第２電極１２は、短手方向（前後方向）に延びる平面視略矩形状を有する。第１電極１１および第２電極１２は、１対の電極を形成する。
【００４７】
第１電極１１および第２電極１２の対向方向は、第１電極１１および第２電極１２を最も短い距離で結ぶ仮想最短線分ＩＬ０（図１Ａ参照）に沿う方向（最短方向）である。最短方向は、インダクタ１の長手方向と同一である。仮想最短線分ＩＬ０の長さは、第１電極１１および第２電極１２間の最短距離（長さＬ）である。
【００４８】
配線９は、エリアの一例としての配線エリア１５に配置されている。
【００４９】
配線エリア１５は、第１電極１１および第２電極１２間に位置するエリアであって、具体的には、インダクタ１における長手方向に沿った第１電極１１および第２電極１２間の長さＬに等しい長手方向長さＸと、長手方向に対して直交する方向における短手方向長さの一例である前後方向長さＹとを有する。「第１電極１１および第２電極１２間の長さＬ」は、後で詳述する。
【００５０】
配線エリア１５は、インダクタ１の長手方向における、第１電極１１の長手方向他端縁（右端縁、第２電極１２に近い側の端縁）に沿う第１仮想線分ＩＬ１と、第２電極１２の長手方向一端縁（左端縁、第１電極１１に近い側の端縁）に沿う第２仮想線分ＩＬ２との間のエリアであって、かつ、配線９の前端縁に沿う第３仮想線分ＩＬ３と、配線９の後端縁に沿う第４仮想線分ＩＬ４との間のエリアである。なお、この一実施形態では、第３仮想線分ＩＬ３は、第１電極１１および第２電極１２のそれぞれの前端縁に沿い、第４仮想線分ＩＬ４は、第１電極１１および第２電極１２のそれぞれの後端縁に沿う。第１仮想線分ＩＬ１および第２仮想線分ＩＬ２は、平行し、また、第３仮想線分ＩＬ３および第４仮想線分ＩＬ４は、平行しており、第１仮想線分ＩＬ１、第２仮想線分ＩＬ２、第３仮想線分ＩＬ３および第４仮想線分ＩＬ４によって仕切られる平面視略矩形状のエリアが、配線エリア１５である。すると、配線エリア１５の平面積は、配線エリア１５の長手方向長さＸおよび前後方向長さＹの積（ＸＹ）で表される。
【００５１】
配線９は、第１電極１１および第２電極１２に連続するように、配線エリア１５内に配置される。配線９は、幅Ｗを有しており、配線エリア１５内において、平面視略葛折り形状を有する。配線９の両端部は、第１電極１１および第２電極１２のそれぞれに連続している。具体的には、配線９は、複数の直線部１３と、互いに隣接する２つの直線部１３の長手方向一端部間同士または両端部間同士を連結する複数の連結部１４とを連続して有する。複数の直線部１３は、前後方向に互いに間隔を隔てて配置されている。複数の直線部１３のそれぞれは、長手方向に沿って延びる形状を有する。複数の直線部１３のうち、例えば、後端部に位置する直線部１３が、第１電極１１の後端部に連続し、前端部に位置する直線部１３が、第２電極１２の前端部に連続する。複数の連結部１４のそれぞれは、複数の直線部１３のそれぞれに対して、短い。複数の連結部１４は、配線エリア１５内において、第１電極１１の近傍、および、第２電極１２の近傍に、交互に配置される。
【００５２】
また、第１電極１１、第２電極１２および配線９は、同一平面上にある。第１電極１１、第２電極１２および配線９は、長手方向に投影したときに、重複し、より具体的には、一致している。また、図２から分かるように、上記投影においても、第１電極１１、第２電極１２および配線９のそれぞれの上面および下面も、重複し、より具体的には、一致している。
【００５３】
導体パターン３における配線９、第１電極１１および第２電極１２は、同一材料からなる。導体パターン３の材料は、例えば、特開２０１４−１８９０１５号公報に開示される導体が挙げられ、好ましくは、銅などの金属が挙げられる。
【００５４】
導体パターン３の厚みは、例えば、５μｍ以上、好ましくは、１０μｍ以上であり、また、例えば、３００μｍ以下、好ましくは、１００μｍ以下である。
【００５５】
導体パターン３の平面視における寸法等は、後で詳述する。
【００５６】
第１バンプ４は、第１電極１１と接続部材２１（後述、図２の仮想線参照）との電気的な接続に用いられる接点である。第１バンプ４は、第１電極１１の上面に配置されている。具体的には、第１バンプ４は、前後方向および厚み方向に延びる略矩形箱（板）形状を有する。第１バンプ４は、第１電極１１と略相似形状を有する。第１バンプ４の下面は、第１電極１１の上面の中央部に接触する一方、第１バンプ４の上面は、上側に露出している。なお、第１電極１１の周端部は、第１バンプ４から露出している。第１バンプ４の側面（長手方向両側面および前後両面）は、後述するカバー絶縁層６に被覆されている。第１バンプ４は、第１電極１１の上面に接触しているので、第１電極ポストでもある。第１バンプ４の材料としては、上記した導体（はんだを含む）が挙げられる。
【００５７】
第１バンプ４の平面積ＢＳ１の、第１電極１１の平面積Ｓ１（後述）に対する割合（ＢＳ１／Ｓ１）は、例えば、７０％以上、好ましくは、８０％以上、より好ましくは、９０％以上であり、また、例えば、１００％以下である。ＢＳ１／Ｓ１が上記した下限以上であれば、第１バンプ４および第１電極１１の低抵抗化を図り、電子機器（図示せず）と、第１電極１１との電気的な接続信頼性の低下を抑制することができる。
【００５８】
第２バンプ５は、第２電極１２と接続部材２１（後述、図２の仮想線参照）との電気的な接続に用いられる接点である。第２バンプ５は、第２電極１２の上面に配置されている。具体的には、第２バンプ５は、前後方向および厚み方向に延びる略矩形箱（板）形状を有する。第２バンプ５は、第２電極１２と略相似形状を有する。第２バンプ５の下面は、第２電極１２の上面の中央部に接触する一方、第２バンプ５の上面は、上側に露出している。なお、第２電極１２の周端部は、第２バンプ５から露出している。第２バンプ５の側面（長手方向両側面および前後両面）は、後述するカバー絶縁層６に被覆されている。第２バンプ５は、第２電極１２の上面に接触しているので、第２電極ポストでもある。第２バンプ５の材料は、第１バンプ４の材料と同一である。
【００５９】
第２バンプ５の平面積ＢＳ２の、第２電極１２の平面積Ｓ２（後述）に対する割合（ＢＳ２／Ｓ２）は、例えば、７０％以上、好ましくは、８０％以上、より好ましくは、９０％以上であり、また、例えば、１００％以下である。ＢＳ２／Ｓ２が上記した下限以上であれば、第２バンプ５および第２電極１２の低抵抗化を図り、電子機器（図示せず）と、第２電極１２との電気的な接続信頼性の低下を抑制することができる。
【００６０】
第１バンプ４の厚みＴ１および第２バンプ５の厚みＴ１は、互いに同一であって、例えば、１５μｍ以上、好ましくは、５０μｍ以上であり、また、例えば、６００μｍ以下、好ましくは、５００μｍ以下である。なお、第１バンプ４の厚みＴ１は、第１電極１１（導体パターン３）の上面から第１バンプ４の上面までの距離である。第２バンプ５の厚みＴ１は、第２電極１２（導体パターン３）の上面から第２バンプ５の上面までの距離である。
【００６１】
磁性層１０は、インダクタ１において高インダクタンスを付与する層である。磁性層１０は、インダクタ１の長手方向および短手方向に延びる略シート形状を有する。磁性層１０は、ベース絶縁層８の上において、配線９を被覆する。そのため、磁性層１０は、配線９の形状に対応する下面と、下面の上側に対向する平坦な上面とを備える。一方、磁性層１０は、インダクタ１の長手方向において、第１電極１１および第２電極１２の内側に間隔を隔てて位置しており、第１電極１１および第２電極１２を被覆していない。
【００６２】
つまり、磁性層１０の長手方向一端縁は、第１バンプ４の長手方向他端縁に対して長手方向他方側に微小な間隔を隔てて位置し、磁性層１０の長手方向他端縁は、第２バンプ５の長手方向一端縁に対して長手方向一方側に微小な間隔を隔てて位置する。具体的には、磁性層１０は、第１バンプ４および第２バンプ５に対して、長手方向に、例えば、０．１μｍ以上、好ましくは、０．３μｍ以上、より好ましくは、０．５μｍ以上の間隔ＩＮであって、また、例えば、１０μｍ以下の間隔ＩＮが隔てられている。
【００６３】
上記した間隔ＩＮが上記した下限以上であれば、第１バンプ４および第２バンプ５と、磁性層１０との短絡を有効に防止することができる。
【００６４】
また、磁性層１０の前後両端縁は、厚み方向に投影したときに、ベース層２の前後両端縁に一致する。
【００６５】
磁性層１０の厚みＴ２は、例えば、第１バンプ４および第２バンプ５の厚みＴ１に対して、短い。換言すれば、第１バンプ４および第２バンプ５の厚みＴ１は、磁性層１０の厚みＴ２に対して、長い。
【００６６】
具体的には、磁性層１０の厚みＴ２は、第１バンプ４および第２バンプ５の厚みＴ１に対して、例えば、９９％以下、好ましくは、９７％以下、より好ましくは、９５％以下であり、また、例えば、７０％以上である。
【００６７】
詳しくは、磁性層１０の厚みＴ２は、例えば、５００μｍ以下、好ましくは、３００μｍ以下、より好ましくは、１００μｍ以下であり、また、例えば、１０μｍ以上である。磁性層１０の厚みＴ２が上記した上限以下であれば、インダクタ１の小型化を図ることができる。
【００６８】
なお、磁性層１０の厚みＴ２は、配線９（導体パターン３）の上面から磁性層１０の上面までの距離である。
【００６９】
第１バンプ４および第２バンプ５の厚みＴ１が、磁性層１０の厚みＴ２に対して、長ければ、接続部材２１（後述）が第１バンプ４および第２バンプ５の上面に接触する際に、接続部材２１が磁性層１０に接触し難く、そのため、電子機器（図示せず）と、第１電極１１および第２電極１２との電気的な接続信頼性を向上させることができる。
【００７０】
磁性層１０の材料は、第２磁性層７の材料と同一である。
【００７１】
カバー絶縁層６は、第１電極１１、第２電極１２および配線９を保護する保護絶縁層である。カバー絶縁層６は、ベース絶縁層８の上において、第１電極１１、第１バンプ４、第２電極１２、第２バンプ５の周囲を被覆するとともに、磁性層１０全体を被覆する。具体的には、カバー絶縁層６は、第１バンプ４の側面と、第２バンプ５の側面と、第１電極１１の上面における周端部および側面と、第２電極１２の上面における周端部および側面とを被覆している。また、カバー絶縁層６は、磁性層１０の側面および上面を被覆している。さらに、カバー絶縁層６は、ベース絶縁層８の上面において、第１電極１１および第２電極１２と、磁性層１０とが形成される部分以外の部分も、被覆している。そのため、カバー絶縁層６は、第１電極１１および第２電極１２と、磁性層１０とに対応する下面と、下面の上側に対向する平坦な上面とを有する。また、カバー絶縁層６の上面は、第１バンプ４および第２バンプ５の上面と面一である。つまり、カバー絶縁層６の上面と、第１バンプ４および第２バンプ５の上面とは、１つの平面を形成する。また、カバー絶縁層６の周端縁は、厚み方向に投影したときに、ベース層２の周端縁と一致する。
【００７２】
カバー絶縁層６の材料は、ベース絶縁層８の材料と同一である。カバー絶縁層６の厚みは、例えば、１２０μｍ以下、好ましくは、１００μｍ以下であり、また、例えば、０．１μｍ以上、好ましくは、０．３μｍ以上である。
【００７３】
次に、第１電極１１および第２電極１２間の長さＬと、配線エリア１５の長手方向長さＸとの関係を、本発明の範囲外である比較例１と対比して詳述する。
【００７４】
図１Ａおよび図１Ｂに示すように、一実施形態では、第１電極１１および第２電極１２間の長さＬと、配線エリア１５の長手方向長さＸとは、等しい。
【００７５】
また、図５に示すように、本発明の範囲内にある第１変形例では、後で詳述するが、第１電極１１および第２電極１２を長手方向に投影したときに、一部が重複しており、第１電極１１および第２電極１２を最も短い距離で結ぶ仮想最短線分ＩＬ０の長さである、第１電極１１および第２電極１２間の長さＬは、配線エリア１５の長手方向長さＸと、等しい。
【００７６】
これらに対して、図１５に示すように、比較例１では、第１電極１１および第２電極１２を長手方向に投影したときに、重複しておらず（ずれており）、そして、仮想最短線分ＩＬ０である、第１電極１１および第２電極１２間の長さＬは、配線エリア１５の長手方向長さＸに比べ、長い。つまり、第１電極１１および第２電極１２間の長さＬと、配線エリア１５の長方向長さＸとは、相違する。従って、比較例１は、本発明の範囲外である。
【００７７】
次いで、図１Ａおよび図１Ｂに示すように、導体パターン３の平面視における寸法を詳述する。
【００７８】
配線９の幅Ｗは、平均値として、例えば、５００μｍ以下、好ましくは、１００μｍ以下であり、また、例えば、１０μｍ以上、好ましくは、５０μｍ以上である。また、隣接する直線部１３間の間隔ＳＰは、上記した幅Ｗと同様である。また、配線９の数は、特に限定されず、例えば、１以上、好ましくは、３以上であり、また、例えば、１０００以下、好ましくは、１００以下である。
【００７９】
第１電極１１の平面積Ｓ１および第２電極１２の平面積Ｓ２のそれぞれは、配線９の幅Ｗの２乗値（Ｗ２）以上であり、詳しくは、２乗値（Ｗ２）に対する割合（Ｓ１／Ｗ２、または、Ｓ２／Ｗ２）が、１超過、好ましくは、２以上、より好ましくは、３以上、さらに好ましくは、４以上、とりわけ好ましくは、５以上であり、また、例えば、１００以下である。
【００８０】
第１電極１１の平面積Ｓ１および第２電極１２の平面積Ｓ２のそれぞれが、配線９の幅Ｗの２乗値（Ｗ２）に満たなければ、インダクタ１の低抵抗化を図ることができない。換言すれば、第１電極１１の平面積Ｓ１および第２電極１２の平面積Ｓ２のそれぞれは、配線９の幅Ｗの２乗値（Ｗ２）以上であれば、インダクタ１の低抵抗化を図ることができる。
【００８１】
なお、第１電極１１の平面積Ｓ１は、第１電極１１が矩形状であることから、インダクタ１の長手方向における、第１電極１１の長さ（短辺）ＳＳ１と、前後方向における第１電極１１の長さ（長辺）ＬＳ１とから求められ、具体的には、ＳＳ１×ＬＳ１である。
【００８２】
第２電極１２の平面積Ｓ２は、第２電極１２が矩形状であることから、インダクタ１の長手方向における、第２電極１２の長さ（短辺）ＳＳ２と、前後方向における第２電極１２の長さ（長辺）ＬＳ２とから求められ、具体的には、ＳＳ２×ＬＳ２である。
【００８３】
具体的には、第１電極１１の平面積Ｓ１および第２電極１２の平面積Ｓ２は、例えば、１０，０００μｍ２以上、好ましくは、２０，０００μｍ２超過、より好ましくは、２５，０００μｍ２超過であり、また、例えば、１００，０００μｍ２以下、好ましくは、５０，０００μｍ２以下である。
【００８４】
第１電極１１の長辺ＬＳ１の配線９の幅Ｗに対する比（ＬＳ１／Ｗ）は、例えば、１以上、好ましくは、２以上、より好ましくは、４以上であり、また、例えば、５０以下である。第１電極１１の短辺ＳＳ１は、上記した平面積Ｓ１および長辺ＬＳ１に対応して適宜設定される。
【００８５】
第２電極１２の長辺ＬＳ２の配線９の幅Ｗに対する比（ＬＳ２／Ｗ）は、上記した比（ＬＳ１／Ｗ）と同様である。第２電極１２の短辺ＳＳ２は、上記した平面積Ｓ２および長辺ＬＳ２に対応して適宜設定される。
【００８６】
また、配線エリア１５の長手方向長さＸは、短手方向長さＹの１．５倍値以上である。つまり、下記式（１）を満足する。
【００８７】
Ｘ／Ｙ≧１．５                （１）
好ましくは、下記式（２）を満足する。
【００８８】
Ｘ／Ｙ≧２．０                （２）
Ｘ／Ｙが上記した下限（式（１）では、１．５、式（２）では、２．０）を下回れば、第２バンプ５の前後方向のより一層の小型化を図ることができない。換言すれば、Ｘ／Ｙが上記した下限以上であれば、第２バンプ５の前後方向のより一層の小型化を図ることができ、結果として、インダクタ１の小型化を図ることができる。
【００８９】
次に、インダクタ１の製造方法を、図３Ａ〜図３Ｅおよび図４Ａ〜図４Ｄを参照して、説明する。
【００９０】
図３Ａおよび図４Ａに示すように、この方法では、まず、ベース絶縁層８および導体層１６を準備する。
【００９１】
ベース絶縁層８は、最終的に得られるインダクタ１の前後方向（短手方向）に長い長尺シートとして準備する。一方、ベース絶縁層８は、インダクタ１の長手方向長さと同一長さの幅Ｗ３を有する。
【００９２】
導体層１６は、ベース絶縁層８の上面全面に設けられる導体シートである。導体層１６の材料は、導体パターン３の材料と同一である。
【００９３】
また、ベース絶縁層８および導体層１６を、支持シート１７で、下側から支持した状態で、準備することができる。支持シート１７は、樹脂や金属からなるセパレータである。つまり、支持シート１７、第２磁性層７および導体層１６を厚み方向上側に向かって順に備える積層体２０を準備する。
【００９４】
図３Ｂおよび図４Ｂに示すように、次いで、導体層１６から、導体パターン３を形成する。例えば、エッチングを含むサブトラクティブ法などによって、第１電極１１、第２電極１２および配線９を有する導体パターン３を形成する。具体的には、１つの第１電極１１、１つの第２電極１２、および、１つの配線９を含むユニット１８を、前後方向（ベース絶縁層８の長尺方向）に沿って複数作製する。
【００９５】
図３Ｃおよび図４Ｃに示すように、次いで、磁性層１０を、ベース絶縁層８の上に、配線９を被覆するように、設ける。
【００９６】
磁性層１０を設けるには、まず、図３Ｂの上側図および図４Ｂの上側図に示すように、前後方向に長い長尺シート形状を有する磁性シート１９を準備する。
【００９７】
磁性シート１９の幅Ｗ４は、複数の磁性層１０の長手方向長さと同一である。磁性シート１９の材料は、例えば、特開２０１４−１８９０１５号公報に開示される硬化性磁性組成物などが挙げられる。磁性シート１９の厚みは、得られる磁性層１０の厚みに応じて、適宜設定される。
【００９８】
続いて、図３Ｂの矢印および図４Ｂの矢印で示すように、磁性シート１９を、複数のユニット１８における複数の配線９の上面および側面をまとめて被覆するように、複数のユニット１８に対して配置する。具体的には、長尺の１つの磁性シート１９を、複数のユニット１８に対して、押圧する（押し下げる）。図３Ｃおよび図４Ｃに示すように、その後、あるいは、押圧と同時に、必要により、磁性シート１９を硬化させて、前後方向に連続する磁性層１０を形成する。
【００９９】
同時に、第２磁性層７をベース絶縁層８の下面に設ける。第２磁性層７を設けるには、まず、図３Ｂに示す支持シート１７をベース絶縁層８の下面から剥離し（つまり、積層体２０から支持シート１７を除去し）、続いて、別の磁性シート１９から第２磁性層７を形成する。
【０１００】
図３Ｄおよび図４Ｄに示すように、次いで、第１バンプ４および第２バンプ５を設ける。具体的には、複数の第１バンプ４および複数の第２バンプ５を、例えば、アディティブ法、サブトラクティブ法などのパターン形成法に従って、第１電極１１および第２電極１２の上面に形成する。
【０１０１】
その後、カバー絶縁層６を上記したパターンで設ける。
【０１０２】
図４Ｄの仮想線に示すように、これにより、１つのベース層２と、複数のユニット１８（図４Ｃ参照）と、複数の第１バンプ４および複数の第２バンプ５と、１つの磁性層１０と、１つのカバー絶縁層６とを備えるインダクタ集合体２２を複数まとめて製造する。
【０１０３】
その後、図４Ｄの太い仮想線で示すように、インダクタ集合体２２において、複数のユニット１８、複数の第１バンプ４および複数の第２バンプ５を個片化するように、長尺状のカバー絶縁層６（図３Ｅ参照）と、長尺状の磁性層１０と、長尺状のベース層２（ベース絶縁層８および第２磁性層７）とを、インダクタ１の厚み方向（前後方向に直交する方向）に沿って、切断する。
【０１０４】
これによって、１つのベース層２と、１つの導体パターン３と、１つの第１バンプ４および１つの第２バンプ５と、１つの磁性層１０と、１つのカバー絶縁層６とを備えるインダクタ１を製造する。好ましくは、インダクタ１は、ベース層２と、導体パターン３と、第１バンプ４および第２バンプ５と、磁性層１０と、カバー絶縁層６とのみからなる。
【０１０５】
インダクタ１は、後述する電子機器ではなく、電子機器の一部品、すなわち、電子機器を作製するための部品であり、電子素子（チップ、キャパシタなど）や、電子素子を実装する実装基板を含まず、部品単独で流通し、産業上利用可能なデバイスである。
【０１０６】
このインダクタ１は、例えば、電子機器などに搭載される（組み込まれる）。図示しないが、電子機器は、実装基板と、実装基板に実装される電子素子（チップ、キャパシタなど）とを備える。そして、電子機器において、インダクタ１は、実装基板に実装される。具体的には、図２の仮想線に示すように、ワイヤやはんだなどの接続部材２１が、第１バンプ４および第２バンプ５の上面に接触する。インダクタ１は、接続部材２１を介して実装基板に実装され、他の電子機器と電気的に接続され、受動素子として作用する。
【０１０７】
そして、このインダクタ１では、配線９、第１電極１１および第２電極１２が、同一平面上にあるので、厚み方向の小型化を図ることができる。また、配線エリア１５の長手方向長さＸは、前後方向長さＹの１．５倍値以上であるので、配線エリア１５の前後方向の小型化を図ることができる。結果として、インダクタ１のより一層の小型化を図ることができる。
【０１０８】
また、このインダクタ１では、第１電極１１の平面積Ｓ１および第２電極１２の平面積Ｓ２のそれぞれは、配線９の幅Ｗの２乗値（Ｗ２）以上であるので、インダクタ１の低抵抗化を図ることができる。
【０１０９】
このインダクタ１は、磁性層１０をさらに備えるので、高インダクタンスを確保することができる。
【０１１０】
このインダクタ１では、インダクタ１の高インダクタンスを確保しながら、磁性層１０の厚みＴ２が５００μｍ以下であれば、インダクタ１の小型化を図ることができる。
【０１１１】
このインダクタ１は、第１バンプ４と第２バンプ５とを備えるので、接続部材２１を第１電極１１および第２電極１２の上面に接触させれば、インダクタ１が搭載される電子機器（図示せず）と、第１電極１１および第２電極１２との電気的な接続を容易に図ることができる。
【０１１２】
このインダクタ１では、第１バンプ４の平面積ＢＳ１の、第１電極１１の平面積Ｓ１に対する割合が、７０％以上であり、第２バンプ５の平面積ＢＳ２の、第２電極１２の平面積Ｓ２に対する割合が、７０％以上であれば、インダクタ１の低抵抗化を図って、電子機器（図示せず）と、第１電極１１および第２電極１２との電気的な接続信頼性の低下を抑制することができる。
【０１１３】
このインダクタ１では、第１バンプ４および第２バンプ５の厚み方向長さＴ１が、磁性層１０の厚みＴ２に対して、長ければ、接続部材２１が第１バンプ４および第２バンプ５の上面に接触する際に、接続部材２１が磁性層１０に接触しにくく、そのため、接続部材２１の磁性層１０に対する接触に起因する短絡を抑制して、電子機器（図示せず）と、第１電極１１および第２電極１２との電気的な接続信頼性を向上させることができる。
【０１１４】
このインダクタ１では、第１バンプ４および第２バンプ５は、磁性層１０と面方向に１００μｍ以上の間隔ＩＮを隔てて配置されれば、第１バンプ４および第２バンプ５と、磁性層１０との短絡を有効に防止することができる。そのため、電子機器（図示せず）と、第１電極１１および第２電極１２との電気的な接続信頼性を向上させることができる。
【０１１５】
このインダクタ１は、カバー絶縁層６を備えるので、カバー絶縁層６により、第１電極１１、第２電極１２および配線９を被覆（保護）することができ、そのため、電気的な接続信頼性を向上させることができる。
【０１１６】
このインダクタ１は、磁性層１０の他に、第２磁性層７をさらに備えるので、高インダクタンスを確保することができる。
【０１１７】
このインダクタ１の製造方法は、複数のユニットにおける複数の配線９の上面をまとめて被覆するように、前後方向に長い長尺の磁性シート１９を複数のユニット１８に対して配置して、磁性シート１９から磁性層１０を形成する。つまり、複数のインダクタ１を含むインダクタ集合体２２を製造する。その後、インダクタ集合体２２を個片化して、複数のインダクタ１を製造する。その結果、複数のインダクタ１を効率よく製造することができる。
【０１１８】
＜変形例＞
以下の各変形例において、上記した一実施形態と同様の部材および工程については、同一の参照符号を付し、その詳細な説明を省略する。また、各変形例を適宜組み合わせることができる。さらに、各変形例は、特記する以外、一実施形態と同様の作用効果を奏することができる。
【０１１９】
また、図５〜図８の平面図では、第１電極１１、第２電極１２および配線９（配線エリア１５）の相対配置を明確に示すために、第１バンプ、第２バンプおよびカバー絶縁層を省略している。
【０１２０】
第１変形例
図５に示すように、インダクタ１において、第１電極１１および第２電極１２を長手方向に投影したときに、一部が重複している。具体的には、第１電極１１は、長手方向に投影したときに、配線エリア１５の後側部分および前後方向中央部に重複する。第２電極１２は、長手方向に投影したときに、配線エリア１５の前側部分および前後方向中央部に重複する。そのため、長手方向に投影したときに、第１電極１１の前端部と、第２電極１２の後端部と、配線エリア１５の前後方向中央部とが、重複する。
【０１２１】
また、第１電極１１の前端部と、第２電極１２の後端部とは、長手方向に対向する。そのため、第１電極１１および第２電極１２を最も短い距離で結ぶ仮想最短線分ＩＬ０は、長手方向に沿う線分であり、第１実施形態と同様に、仮想最短線分ＩＬ０の長さである、第１電極１１および第２電極１２間の長さＬは、配線エリア１５の長手方向長さＸと、等しい。
【０１２２】
第２変形例
配線９のパターン形状は、上記に限定されない。図６に示すように、第２変形例では、複数の直線部１３は、長手方向方向に互いに間隔を隔てて配置されている。複数の直線部１３のそれぞれは、前後方向に延びる。
【０１２３】
第３変形例
図７に示すように、第３変形例では、配線９は、１つの連結部１４のみを有する。連結部１４は、長手方向中央部に位置しており、前側の直線部１３の長手方向一端縁と、後側の直線部１３の長手方向端部を、前後方向に連結する。第３変形例では、連結部１４の長さは、直線部１３の長さと同一であってもよく、直線部１３より長くてもよい。
【０１２４】
第４変形例
図８に示すように、第４変形例では、複数の直線部１３は、前側に向かうに従って長手方向一方側に傾斜する第１傾斜方向において、互いに間隔を隔てて配置されている。複数の直線部１３のそれぞれは、第１傾斜方向に直交する方向（前側に向かうに従って長手方向他方側に傾斜する第２傾斜方向）に沿って延びる形状を有する。
【０１２５】
連結部１４は、例えば、平面視湾曲形状を有することができる。
【０１２６】
第５変形例
図９に示すように、インダクタ１は、第２磁性層７（図２参照）を備えない。ベース層２は、第２磁性層７を含まず、ベース絶縁層８のみからなる。ベース絶縁層８は、インダクタ１における最下層である。
【０１２７】
第６変形例
図１０に示すように、インダクタ１は、ベース絶縁層８（図２参照）を備えない。ベース層２は、ベース絶縁層８を含まず、第２磁性層７のみからなる。第２磁性層７の上面は、導体パターン３を同一平面上に配置するための平面である。つまり、第２磁性層７の上面には、導体パターン３が配置されている。
【０１２８】
第７変形例
図１１に示すように、磁性層１０は、第１電極１１の周端部および第２電極１２の周端部も被覆する。第７変形例においても、磁性層１０は、第１バンプ４および第２バンプ５に対して、長手方向に上記した間隔ＩＮが隔てられている。
【０１２９】
第８変形例
図１２に示すように、第１バンプ４および第２バンプ５のそれぞれは、第１電極１１および第２電極１２のそれぞれに対して、下側に配置されている。第１バンプ４および第２バンプ５のそれぞれは、第１電極１１および第２電極１２の下面に接触している。
【０１３０】
カバー絶縁層６は、ベース絶縁層８の下に配置されている。カバー絶縁層６は、第１バンプ４および第２バンプ５の側面と、第２磁性層７の下面および側面とを被覆している。カバー絶縁層６は、平面視において、ベース絶縁層８より小さい。
【０１３１】
第１バンプ４および第２バンプ５のそれぞれは、ベース絶縁層８およびカバー絶縁層６を厚み方向に貫通しており、その下面が、カバー絶縁層６の下面と面一になっている。
【０１３２】
第２磁性層７は、第１バンプ４および第２バンプ５に対して、長手方向に間隔ＩＮが隔てられている。
【０１３３】
第９変形例
図１３に示すように、第１バンプ４および第２バンプ５のそれぞれは、第１電極１１および第２電極１２の下面に接触し、かつ、第２磁性層７は、第１バンプ４および第２バンプ５の周端部も被覆している。第９変形例においても、第２磁性層７は、第１バンプ４および第２バンプ５に対して、長手方向に上記した間隔ＩＮが隔てられている。
【０１３４】
第１０変形例
図１４に示すように、インダクタ１は、第１バンプ４および第２バンプ５（図２参照）を備えない。つまり、インダクタ１は、ベース層２と、導体パターン３と、磁性層１０と、カバー絶縁層６とのみからなる。
【０１３５】
カバー絶縁層６は、第１電極１１および第２電極１２のそれぞれの上面の中央部を露出する第１開口部２４および第２開口部２５を有する。
【０１３６】
第１電極１１および第２電極１２のそれぞれの上面に、第１開口部２４および第２開口部２５のそれぞれを介して、接続部材２１が接触する。
【０１３７】
その他の変形例
一実施形態では、配線エリア１５を画定する第３仮想線分ＩＬ３と第４仮想線分ＩＬ４とは、第１電極１１および第２電極１２のそれぞれの前端縁と後端縁とに沿っているが、例えば、図１６に示すように、第４変形例のさらなる変形例として、第３仮想線分ＩＬ３が、第１電極１１および第２電極１２の前端縁より前側に位置し、第４仮想線分ＩＬ４が、第１電極１１および第２電極１２の後端縁より後側に位置することもできる。
【０１３８】
一実施形態では、導体パターン３をサブトラクティブ法で形成しているが、図示しないが、導体層１６を準備せず、種膜を用いたアディティブ法で導体パターン３をベース絶縁層８の上面に形成することもできる。
【０１３９】
また、インダクタ１は、ロールトゥロール法および枚葉法のいずれの方法でも製造することができる。
【０１４０】
一実施形態では、図３Ｄに示すように、第１バンプ４および第２バンプ５を設け、その後、図３Ｅに示すように、カバー絶縁層６を設けている。しかし、図示しないが、まず、カバー絶縁層６を、第１開口部２４および第２開口部２５を有するパターンで設け、その後、第１バンプ４および第２バンプ５を設けることもできる。
【実施例】
【０１４１】
以下に実施例および比較例を示し、本発明をさらに具体的に説明する。なお、本発明は、何ら実施例および比較例に限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１４２】
実施例１
図１Ａ〜図２に示す一実施形態のインダクタ１を、上記の製造方法に従って製造した。インダクタ１は、第２磁性層７と、ベース絶縁層８と、導体パターン３と、第１バンプ４および第２バンプ５と、磁性層１０と、カバー絶縁層６とを備える。
【０１４３】
導体パターン３は、第１電極１１、第２電極１２および配線９を含み、材料が、銅であり、厚みが、５０μｍであった。また、第１バンプ４および第２バンプ５の材料は、ＳｎＡｇＣｕはんだであり、厚みが、１４０μｍであった。
【０１４４】
第２磁性層７および磁性層１０の材料は、特開２０１４−１８９０１５号公報の実施例１に記載の磁性組成物であった。
【０１４５】
第１電極１１、第２電極１２および配線９の寸法と、第１バンプ４および第２バンプ５と、磁性層１０との間隔ＩＮとは、それぞれ、表１に記載の通りであった。
【０１４６】
実施例２〜比較例１
第１電極１１および第２電極１２の寸法等を、表１に記載の通りに変更した以外は、実施例１と同様にインダクタ１を準備した。
【０１４７】
なお、実施例３は、図５に示す第１変形例のインダクタ１であり、また、比較例１は、図１５に示す、本発明の範囲外であるインダクタ１である。
【０１４８】
＜評価＞
［抵抗］
製造途中の図３Ｂおよび図４Ｂに示す第１電極１１および第２電極１２間の抵抗Ｒ１と、得られたインダクタ１における第１バンプ４および第２バンプ５間の抵抗Ｒ２とを、４端子法で、それぞれ、測定し、第１電極１１および第２電極１２間の抵抗Ｒ１の、第１バンプ４および第２バンプ５間の抵抗Ｒ２に対する百分率（Ｒ１／Ｒ２×１００）を算出した。
【０１４９】
［短絡］
第１バンプ４および磁性層１０間の抵抗値を、２端子端子法で測定し、下記に従って、第１バンプ４および磁性層１０間の短絡性（導通性）を評価した。
【０１５０】
○：１ＭΩ以上。
【０１５１】
△：０．１ＭΩ超過、１ＭΩ未満。
【０１５２】
×：０．１ＭΩ未満。
【０１５３】
【表１】
2019062002.tif 000003
【符号の説明】
【０１５４】
１     インダクタ
４     第１バンプ
５     第２バンプ
６     カバー絶縁層
７     第２磁性層
８     ベース絶縁層
９     配線
１０   磁性層
１１   第１電極
１２   第２電極
１５   配線エリア
１８   ユニット
１９   磁性シート
ＢＳ１ 第１バンプの平面積
ＢＳ２ 第２バンプの平面積
ＩＮ   磁性層と、第１バンプおよび第２バンプとの間隔
Ｌ     長手方向（最短方向）に沿った第１電極および第２電極間の長さ
Ｓ１   第１電極の平面積
Ｓ２   第２電極の平面積
Ｔ１   第１バンプおよび第２バンプの厚み
Ｔ２   磁性層の厚み
Ｘ     長手方向長さ
Ｙ     前後方向長さ
Ｗ     幅
Ｗ２   幅の２乗値
【図１】
2019062002.tif 000004
【図２】
2019062002.tif 000005
【図３】
2019062002.tif 000006
【図４】
2019062002.tif 000007
【図５】
2019062002.tif 000008
【図６】
2019062002.tif 000009
【図７】
2019062002.tif 000010
【図８】
2019062002.tif 000011
【図９】
2019062002.tif 000012
【図１０】
2019062002.tif 000013
【図１１】
2019062002.tif 000014
【図１２】
2019062002.tif 000015
【図１３】
2019062002.tif 000016
【図１４】
2019062002.tif 000017
【図１５】
2019062002.tif 000018
【図１６】
2019062002.tif 000019